Podtech/llm-jp-corpus-v4-ja_patent huggingface dataset:
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
ａ）シリカ以外のカプセル化された薬剤を含み、１０００μｍ以下の最大直径を有するシリカ粒子を、そのまま、または懸濁液として
ｂ）シリカゾル
と混合することにより得られるシリカハイドロゲルコンポジットであって、
ｉ）前記シリカゾルの固形分が５ｗｔ％以下であり、
ii）前記シリカハイドロゲルコンポジットが８５ｗｔ％以下の前記シリカ粒子を含み、
iii）前記ハイドロゲルコンポジットがずり流動化性である
シリカハイドロゲルコンポジット。
【請求項２】
シリカゾルが、３ｗｔ％以下の固形分を有することを特徴とする請求項１記載のシリカハイドロゲルコンポジット。
【請求項３】
シリカ粒子が、０．１〜７０ｗｔ％のカプセル化された薬剤を含むことを特徴とする請求項１または２記載のシリカハイドロゲルコンポジット。
【請求項４】
シリカ粒子が、１μｍ〜３００μｍの直径を有するマイクロ粒子であることを特徴とする請求項１〜３のいずれか１項に記載のシリカハイドロゲルコンポジット。
【請求項５】
シリカ粒子が、５０ｎｍ〜１０００ｎｍの直径を有する粒子であることを特徴とする請求項１〜３のいずれか１項に記載のシリカハイドロゲルコンポジット。
【請求項６】
ハイドロゲルコンポジットが、８０ｗｔ％未満のシリカ粒子を含むことを特徴とする請求項１〜５のいずれか１項に記載のシリカハイドロゲルコンポジット。
【請求項７】
コンポジットの固形分が、２０ｗｔ％〜７５ｗｔ％であることを特徴とする請求項１〜６のいずれか１項に記載のシリカハイドロゲルコンポジット。
【請求項８】
線形粘弾性領域において小角振動ずりのもとで測定される弾性率が、３００ｋＰａ未満であることを特徴とする請求項１〜７のいずれか１項に記載のシリカハイドロゲルコンポジット。
【請求項９】
カプセル化された薬剤がフルオレセインであることを特徴とする請求項１〜８のいずれか１項に記載のシリカハイドロゲルコンポジット。
【請求項１０】
カプセル化された薬剤が生物学的に活性な薬剤であることを特徴とする請求項１〜８のいずれか１項に記載のシリカハイドロゲルコンポジット。
【請求項１１】
生物学的に活性な薬剤が、活性医薬成分、ＡＰＩであることを特徴とする請求項１０記載のシリカハイドロゲルコンポジット。
【請求項１２】
ＡＰＩがニモジピンであることを特徴とする請求項１１記載のシリカハイドロゲルコンポジット。
【請求項１３】
カプセル化された薬剤の水溶性が、１０ｍｇ／ｍｌ以下であることを特徴とする請求項１〜１２のいずれか１項に記載のシリカハイドロゲルコンポジット。
【請求項１４】
カプセル化された薬剤の分子量が、１００００以下であることを特徴とする請求項１〜１３のいずれか１項に記載のシリカハイドロゲルコンポジット。
【請求項１５】
前記シリカ粒子は、噴霧乾燥されたシリカ粒子、シリカ繊維片、および成型または鋳造されたシリカ・モノリスそのものまたはその粉砕物からなる群から選択されることを特徴とする請求項１〜１４のいずれか１項に記載のシリカハイドロゲルコンポジット。
【請求項１６】
請求項１〜１５のいずれか１項に記載のシリカハイドロゲルコンポジットの、注射可能な製剤のための使用。
【請求項１７】
カプセル化された薬剤を投与するための、請求項１〜１５のいずれか１項に記載のシリカハイドロゲルコンポジット。
【請求項１８】
投与が非経口であるか、または埋め込みによるものであることを特徴とする請求項１７記載のシリカハイドロゲルコンポジット。
【請求項１９】
投与が非経口であり、かつ静脈内投与、動脈内投与、心臓内投与、局所投与、経皮内投与、皮内投与、皮下投与、筋肉内投与、腹腔内投与、脳内投与、脳室内投与、髄腔内投与、骨内投与、関節内投与、眼内投与、胸骨内投与、膀胱内投与および陰茎海綿体内投与からなる群から選択されることを特徴とする請求項１８記載のシリカハイドロゲルコンポジット。
【請求項２０】
シリカ以外のカプセル化された薬剤を含み、かつ１０００μｍ以下の最大直径を有するシリカ粒子を、そのまま、または懸濁液として、シリカゾルと混合するシリカハイドロゲルコンポジットの製造方法であって、
ｉ）前記シリカゾルの固形分が５ｗｔ％以下であり、
ii）前記シリカハイドロゲルコンポジットが８５ｗｔ％以下の前記シリカ粒子を含み、
iii）前記ハイドロゲルコンポジットがずり流動化性である
製造方法。
【請求項２１】
シリカゾルが３ｗｔ％以下の固形分を有することを特徴とする請求項２０記載の方法。
【請求項２２】
シリカ粒子が、０．１〜７０ｗｔ％のカプセル化された薬剤を含むことを特徴とする請求項２０または２１記載の方法。
【請求項２３】
シリカ粒子が、１μｍ〜３００μｍの直径を有するマイクロ粒子であることを特徴とする請求項２０〜２２のいずれか１項に記載の方法。
【請求項２４】
シリカ粒子が、５０ｎｍ〜１０００ｎｍの直径を有する粒子であることを特徴とする請求項２０〜２２のいずれか１項に記載の方法。
【請求項２５】
ハイドロゲルコンポジットが、８０ｗｔ％未満のシリカ粒子を含むことを特徴とする請求項２０〜２４のいずれか１項に記載の方法。
【請求項２６】
コンポジットの固形分が、２０ｗｔ％〜７５ｗｔ％であることを特徴とする請求項２０〜２５のいずれか１項に記載の方法。
【請求項２７】
シリカ粒子がゾル−ゲル法により製造される請求項２０〜２６のいずれか１項に記載の方法。
【請求項２８】
シリカ粒子が、噴霧乾燥されたシリカ粒子、シリカ繊維片、および成型または鋳造されたシリカ・モノリスそのものまたはその粉砕物からなる群から選択されることを特徴とする請求項２０〜２７のいずれか１項に記載の方法。
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
少なくとも50%のKHK-C阻害が0.1μg/mL〜1000μg/mLの濃度で起こる、少なくともIC50を示す植物抽出物を含む、ケトヘキソキナーゼ-C(KHK-C)活性を阻害するための組成物。
【請求項２】
植物抽出物が、アンジェリカ、クラトキシルム、ミリカ、ソラレア、スクテラリア、カキノキ、アンドログラフィス、スイレン、クロロキシロン、オランダゼリ、クワ、プテリス、フクギ及びリンゴからなる群から選択される属の植物から得られる、請求項1に記載の組成物。
【請求項３】
植物抽出物が、セイヨウトウキ、クラトキシルム・プルニフォリウム、シロヤマモモ、オランダビユ、コガネバナ及びディオスピロス・アテヌアータ、センシンレン、ヨザキスイレン、インドシュスボク、パセリ、トウグワ、ナチシダ、ガルシニア・マンゴスターナ並びにセイヨウリンゴからなる群から選択される植物から得られる、請求項1又は2に記載の組成物。
【請求項４】
植物抽出物が、アンジェリカ、クラトキシルム、ミリカ、ソラレア、スクテラリア及びカキノキからなる群から選択される属の植物から得られる、請求項1〜3のいずれかに記載の組成物。
【請求項５】
植物抽出物が、セイヨウトウキ、クラトキシルム・プルニフォリウム、シロヤマモモ、オランダビユ、コガネバナ及びディオスピロス・アテヌアータからなる群から選択される植物から得られる、請求項4に記載の組成物。
【請求項６】
植物抽出物が、オストール、クラトキシアルボレノンE、ガンマ-マンゴスチン、オステノール、ポリケチド型分子、4-ヒドロキシ-デリシン、イソババカルコン、メトキシイソババカルコン、オロキシリンA、5,7-ジメトキシ-8-プレニルクマリン、アピゲニン7-グルクロニド、3',4',5,7-トメトキシ3'-O-β-D-キシロピラノシド、スウィエテノクマリンB、アピイン、ムルベリン、フラバスピド酸AB、マンゴスチン、フロレチン及びその組合せからなる群から選択される化合物を含む、請求項1〜5のいずれかに記載の組成物。
【請求項７】
植物抽出物が、プレニル側鎖を有する化合物を含む、請求項1〜6のいずれかに記載の組成物。
【請求項８】
組成物中の植物抽出物の量が、0.005重量パーセント〜50重量パーセントである、請求項1〜7のいずれかに記載の組成物。
【請求項９】
経口摂取に適した形態である、請求項1〜8のいずれかに記載の組成物。
【請求項１０】
前記形態が、丸剤、錠剤、カプセル剤、カプレット剤、糖衣錠、散剤、液剤、ゲル剤、シロップ剤、スラリー剤及び懸濁剤からなる群から選択される、請求項9に記載の組成物。
【請求項１１】
植物抽出物が、以下の官能基I、II又はIII
【化１】
2016522255.tif 000001
の少なくとも1つを含む、請求項1〜10のいずれかに記載の組成物。
【請求項１２】
対象におけるKHK-C活性を阻害するための剤であって、0.1μg/mL〜1000μg/mLの濃度で少なくとも50%のKHK-C阻害を示す植物抽出物を含む、前記剤。
【請求項１３】
糖への依存症、肥満又はメタボリックシンドロームの少なくとも1つを治療又は予防するための、請求項12に記載の剤。
【請求項１４】
糖、フルクトース、フルクトース含有糖類、炭水化物及びその組合せからなる群から選択される少なくとも1つのメンバーに対する対象の欲求の低下をもたらすための、請求項12又は13に記載の剤。
【請求項１５】
前糖尿病を治療又は予防するための、請求項12〜14のいずれかに記載の剤。
【請求項１６】
糖尿病を治療又は予防するための、請求項12〜14のいずれかに記載の剤。
【請求項１７】
インスリン耐性を治療又は予防するための、請求項12〜14のいずれかに記載の剤。
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
ブロムフェナク０．１〜１．０ｍｇ／ｍｌの初期量（遊離酸の重量に基づく）を含む、眼の痛みまたは炎症を治療するための水性医薬溶液であって、前記溶液が４０％以下の相対湿度で、４０℃にて６カ月間貯蔵したとき安定であり、かつ、前記溶液が塩化ベンザルコニウムを欠いている、水性医薬溶液。
【請求項２】
４０％以下の相対湿度で、４０℃にて６カ月間貯蔵したとき、初期量の９７％以上のブロムフェナクの最終量（遊離酸の重量に基づく）および１．２ｗ／ｖ％未満の７−（４−ブロモベンゾイル）−１，３−ジヒドロ−２Ｈ−インドール−２−オンを含む、請求項１に記載の溶液。
【請求項３】
アルキルアリールポリエーテルアルコール型ポリマー、ポリエチレングリコール脂肪酸エステル、有機抗菌化合物、亜硫酸塩抗酸化剤およびホウ酸塩バッファーからなる群から選択される成分を含まない、請求項１または２に記載の溶液。
【請求項４】
バッファー、好ましくはクエン酸塩バッファーを含む；および／または
ｐＨが７〜８である、
請求項１から３のいずれかに記載の溶液。
【請求項５】
ブロムフェナク０．１〜１．０ｍｇ／ｍｌ（遊離酸の重量に基づく）、
緩衝剤０．５〜４．０ｍｇ／ｍｌ、
キレート剤０．２〜１．５ｍｇ／ｍｌ、
等張化剤２〜４０ｍｇ／ｍｌ、および
溶液のｐＨが７〜８となるような有効量のｐＨ調整剤
を含む、請求項１に記載の溶液。
【請求項６】
ブロムフェナク０．１〜１．０ｍｇ／ｍｌ（遊離酸の重量に基づく）、
界面活性剤０．０１〜１．０ｍｇ／ｍｌ、
緩衝剤０．５〜４．０ｍｇ／ｍｌ、
キレート剤０．２〜１．５ｍｇ／ｍｌ、
等張化剤２〜４０ｍｇ／ｍｌ、および
溶液のｐＨが７〜８となるような有効量のｐＨ調整剤
を含む、請求項１に記載の溶液。
【請求項７】
浸透圧が２５０〜３５０ｍＯｓｍ／ｋｇである；および／または
いかなる防腐剤をも欠いている、
請求項５または６に記載の溶液。
【請求項８】
単位用量容器にパッケージされている、請求項１から７のいずれかに記載の溶液。
【請求項９】
眼の炎症および／または痛みを治療するための医薬組成物であって、請求項１から８のいずれかに記載の溶液を含み、それを必要とする患者の眼に適用される、医薬組成物。
【請求項１０】
少なくとも１日１回、好ましくは１日２回適用される、請求項９に記載の医薬組成物。
【請求項１１】
ブロムフェナク０．１〜１．０ｍｇ／ｍｌの初期量（遊離酸の重量に基づく）、
緩衝剤０．５〜４．０ｍｇ／ｍｌ、
キレート剤０．２〜１．５ｍｇ／ｍｌ、
等張化剤２〜４０ｍｇ／ｍｌ、および
組成物のｐＨが７〜８となるような有効量のｐＨ調整剤
を含む水性混合物を調製する工程を含む、安定なブロムフェナク溶液を調製する方法であって、
前記ブロムフェナク溶液が塩化ベンザルコニウムを欠いている、方法。
【請求項１２】
前記水性混合物が、さらに界面活性剤０．０１〜１．０ｍｇ／ｍｌを含む、請求項１１に記載の方法。
【請求項１３】
前記ブロムフェナク溶液が、有機抗菌化合物、アルキルアリールポリエーテルアルコール型ポリマーまたはポリエチレングリコール脂肪酸エステルを含まない、請求項１１または１２に記載の方法。
【請求項１４】
前記水性混合物を単位用量容器にパッケージする工程をさらに含む、請求項１１から１３のいずれかに記載の方法。
【請求項１５】
前記ブロムフェナク溶液が、４０％以下の相対湿度で、４０℃にて６カ月間貯蔵したとき、初期量の９７％以上のブロムフェナクの最終量（遊離酸の重量に基づく）および１．２ｗ／ｖ％未満の７−（４−ブロモベンゾイル）−１，３−ジヒドロ−２Ｈ−インドール−２−オンを含む、請求項１１から１４のいずれかに記載の方法。
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
脱水の製剤であって、
（ｉ）ｐＨバッファー；
（ｉｉ）合成アミノ酸；
（ｉｉｉ）水溶性ポリマー；および
（ｉｖ）第１アミノ酸またはペプチド、
を含む脱水の製剤。
【請求項２】
非還元糖、少なくとも１つのアポトーシス阻害剤、第２アミノ酸、またはそれらの組み合わせをさらに含むことを特徴とする、請求項１に記載の脱水の製剤。
【請求項３】
少なくとも１つのアポトーシス阻害剤が、可逆的アポトーシス阻害剤であることを特徴とする、請求項２に記載の脱水の製剤。
【請求項４】
脱水の製剤が、アラニン−グルタミン、ベタイン、Ｂｉｓ−Ｔｒｉｓ、およびＰＶＡを含むことを特徴とする、請求項１に記載の脱水の製剤。
【請求項５】
脱水の製剤が、アラニン−グルタミン、ベタイン、ＭＥＳ、およびＰＶＡを含むことを特徴とする、請求項１に記載の脱水の製剤。
【請求項６】
脱水の製剤が、キレート剤をさらに含むことを特徴とする、請求項１に記載の脱水の製剤。
【請求項７】
キレート剤が、ジエチレントリアミンペンタ酢酸（ＤＴＰＡ）、エチレンジアミン四酢酸（ＥＤＴＡ）、エチレングリコール四酢酸（ＥＧＴＡ）、トランス−１，２−ジアミノシクロヘキサン−Ｎ，Ｎ，Ｎ’，Ｎ’−四酢酸（ＣＤＴＡ）、１，２−ビス（２−アミノフェノキシ）エタン−Ｎ，Ｎ，Ｎ’，Ｎ’−四酢酸（ＢＡＰＴＡ）、１，４，７，１０−テトラアザシクロドデカン−１，４，７，１０−四酢酸（ＤＯＴＡ）、Ｎ−（２−ヒドロキシエチル）エチレンジアミン−Ｎ，Ｎ’，Ｎ’−三酢酸、グルコン酸ナトリウム，およびニトリロ三酢酸（ＮＴＡ）から成る群から選択されることを特徴とする、請求項６に記載の脱水の製剤。
【請求項８】
脱水の製剤が、アラニン−グルタミン、ＥＤＴＡ、Ｔｒｉｓ−ＨＣｌ、トランス−４−ヒドロキシ−L−プロリン、およびＰＶＡを含むことを特徴とする、請求項６に記載の脱水の製剤。
【請求項９】
冷凍の欠如下において周囲温度で１つ以上の細胞を実質的に乾燥保存するための方法であって、該方法は、
（ｉ）１つ以上の細胞を少なくとも１つのアポトーシス阻害剤を含む前脱水の製剤でインキュベートする工程；
（ｉｉ）１つ以上の細胞から前脱水の製剤を除去する工程；および
（ｉｉｉ）二糖類ではない少なくとも１つの乾燥保存安定剤を含む脱水の製剤の存在下で、１つ以上の細胞を脱水して、１つ以上の実質的に乾燥保存した細胞を生成する工程、
を含む方法。
【請求項１０】
少なくとも１時間の実質的な乾燥保存後の１つ以上の実質的に乾燥保存された細胞の再水和後に、再水和された細胞が、脱水および実質的な乾燥保存前に、細胞中で略同じである少なくとも１つの機能特性を示すことを特徴とする、請求項９に記載の方法。
【請求項１１】
脱水の製剤が、
（ｉ）ｐＨバッファー；
（ｉｉ）合成アミノ酸；
（ｉｉｉ）水溶性ポリマー；および
（ｉｖ）第１アミノ酸またはペプチド、
を含むことを特徴とする、請求項９に記載の方法。
【請求項１２】
脱水の製剤が、非還元糖、少なくとも１つのアポトーシス阻害剤、第２アミノ酸、またはそれらの組み合わせをさらに含むことを特徴とする、請求項１１に記載の方法。
【請求項１３】
脱水の製剤が、キレート剤をさらに含むことを特徴とする、請求項１１に記載の方法。
【請求項１４】
キレート剤が、ジエチレントリアミンペンタ酢酸（ＤＴＰＡ）、エチレンジアミン四酢酸（ＥＤＴＡ）、エチレングリコール四酢酸（ＥＧＴＡ）、トランス−１，２−ジアミノシクロヘキサン−Ｎ，Ｎ，Ｎ’，Ｎ’−四酢酸（ＣＤＴＡ）、１，２−ビス（２−アミノフェノキシ）エタン−Ｎ，Ｎ，Ｎ’，Ｎ’−四酢酸（ＢＡＰＴＡ）、１，４，７，１０−テトラアザシクロドデカン−１，４，７，１０−四酢酸（ＤＯＴＡ）、Ｎ−（２−ヒドロキシエチル）エチレンジアミン−Ｎ，Ｎ’，Ｎ’−三酢酸、グルコン酸ナトリウム，およびニトリロ三酢酸（ＮＴＡ）から成る群から選択されることを特徴とする、請求項１３に記載の方法。
【請求項１５】
脱水の製剤が、
（ａ）グルタミン、ＥＤＴＡ、Ｔｒｉｓ−ＨＣｌ、およびＰＶＡ；
（ｂ）アラニン−グルタミン、ＥＤＴＡ、Ｔｒｉｓ−ＨＣｌ、プロリン、およびＰＶＡ；
（ｃ）アラニン−グルタミン、ＥＤＴＡ、Ｔｒｉｓ−ＨＣｌ、トランス−４−ヒドロキシ−L−プロリン、およびＰＶＡ； 
（ｄ）アラニン−グルタミン、ベタイン、Ｂｉｓ−Ｔｒｉｓ、およびＰＶＡ；および
（ｅ）アラニン−グルタミン、ベタイン、ＭＥＳ、およびＰＶＡ、
から成る群から選択されることを特徴とする、請求項９に記載の方法。
【請求項１６】
少なくとも１つのアポトーシス阻害剤が、可逆的アポトーシス阻害剤であることを特徴とする、請求項９に記載の方法。
【請求項１７】
１つ以上の細胞を前脱水の製剤でインキュベートする前に、１つ以上の細胞を固体担体に固定化する工程をさらに含むことを特徴とする、請求項９に記載の方法。
【請求項１８】
少なくとも１つのアポトーシス阻害剤を含む再水和の製剤を使用して、再水和された細胞を生成するために、１つ以上の実質的に乾燥保存した細胞を再水和する工程をさらに含むことを特徴とする、請求項９に記載の方法。
【請求項１９】
前脱水の製剤中の少なくとも１つのアポトーシス阻害剤が、再水和の製剤中の少なくとも１つのアポトーシス阻害剤と同じであることを特徴とする、請求項１８に記載の方法。
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
ａ．熱硬化性エポキシ樹脂と、
ｂ．前記エポキシ樹脂を硬化させるために十分な量の潜在性硬化剤系と、を含む、一液型硬化性エポキシ組成物であって、
前記潜在性硬化剤系が、
（ｉ）ジシアンジアミドおよびその誘導体から選択される潜在性硬化剤を含む少なくとも１種のエポキシ樹脂混和性の第１の硬化剤、および
（ｉｉ）置換尿素、置換イミダゾール、およびそれらの組合せの少なくとも１種から選択される２以上の潜在性促進剤を含む、一液型硬化性エポキシ組成物。
【請求項２】
前記熱硬化性エポキシ樹脂が、ビスフェノールＡのジグリシジルエーテル、ビスフェノールＦのジグリシジルエーテル、およびそれらの組合せの少なくとも１種から選択される、請求項１に記載の組成物。
【請求項３】
請求項１に記載の一液型硬化性エポキシ組成物を含む、接着剤組成物。
【請求項４】
硬化された請求項３に記載の接着剤組成物を含む、組成物。
【請求項５】
（ａ）２つの基材と、
（ｂ）前記２つの基材間に配置された接着剤組成物の層と、を備える物品であって、
前記接着剤組成物が、一液型硬化性エポキシ組成物を含み、
前記一液型硬化性エポキシ組成物が、
（ｉ）熱硬化性エポキシ樹脂、および
（ｉｉ）前記エポキシ樹脂を硬化させるために十分な量の潜在性硬化剤系を含み、
前記潜在性硬化剤系が、
（Ａ）ジシアンジアミドおよびその誘導体から選択される潜在性硬化剤を含む少なくとも１種のエポキシ樹脂混和性の第１の硬化剤と、
（Ｂ）置換尿素、置換イミダゾール、およびそれらの組合せの少なくとも１種から選択される２以上の潜在性促進剤と、を含む、物品。
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
メトホルミン又はその医薬的に許容しうる塩と、ジヒドロケルセチン又はその医薬的に許容しうる塩とを組み合わせることを特徴とする医薬であって、メトホルミン又はその医薬的に許容しうる塩、及びジヒドロケルセチン又はその医薬的に許容しうる塩を一つの製剤中に含有するか、又は、メトホルミン又はその医薬的に許容しうる塩を含有する医薬組成物と、ジヒドロケルセチン又はその医薬的に許容しうる塩を含有する医薬組成物とを別々に製剤化して組み合わせて用いる、医薬。
【請求項２】
メトホルミン又はその医薬的に許容しうる塩、及びジヒドロケルセチン又はその医薬的に許容しうる塩を一つの製剤中に含有する、請求項１に記載の医薬。
【請求項３】
メトホルミン又はその医薬的に許容しうる塩を含有する医薬組成物と、ジヒドロケルセチン又はその医薬的に許容しうる塩を含有する医薬組成物とを別々に製剤化して組み合わせて用いる、請求項１に記載の医薬。
【請求項４】
悪性腫瘍を予防又は治療するための請求項１〜３のいずれかに記載の医薬。
【請求項５】
悪性腫瘍が、星細胞腫、悪性の髄芽腫、胚細胞腫瘍、頭蓋咽頭腫及び上衣腫からなる群から選ばれる小児の脳腫瘍；グリオーマ、神経膠腫、髄膜腫、下垂体腺腫及び神経鞘腫からなる群から選ばれる成人の脳腫瘍；上顎洞癌、咽頭癌、喉頭癌、口腔癌、口唇癌、舌癌及び耳下腺癌からなる群から選ばれる頭頚部癌；小細胞肺癌、非小細胞肺癌、胸腺腫及び中皮腫からなる群から選ばれる胸部癌及び腫瘍；食道癌、肝臓癌、原発性肝癌、胆嚢癌、胆管癌、胃癌、大腸癌、結腸癌、直腸癌、肛門癌、膵癌及び膵内分泌腫瘍からなる群から選ばれる消化器癌及び腫瘍；陰茎癌、腎盂・尿管癌、腎細胞癌、精巣腫瘍、前立腺癌、膀胱癌、ウイルムス腫瘍及び尿路上皮癌からなる群から選ばれる泌尿器癌及び腫瘍；外陰癌、子宮頸部癌、子宮体部癌、子宮内膜癌、子宮肉腫、絨毛癌、膣癌、乳癌、卵巣癌及び卵巣胚細胞腫瘍からなる群から選ばれる婦人科癌及び腫瘍；成人及び小児の軟部肉腫；骨肉腫及びユーイング腫瘍からなる群から選ばれる骨の腫瘍；副腎皮質癌及び甲状腺癌からなる群から選ばれる内分泌組織の癌及び腫瘍；悪性リンパ腫、非ホジキンリンパ腫、ホジキン病、多発性骨髄腫、形質細胞性腫瘍、急性骨髄性白血病、急性リンパ性白血病、成人Ｔ細胞白血病リンパ腫、慢性骨髄性白血病及び慢性リンパ性白血病からなる群から選ばれる悪性リンパ腫及び白血病；又は、慢性骨髄増殖性疾患、悪性黒色腫、有棘細胞癌、基底細胞癌及び菌状息肉症からなる群から選ばれる皮膚の癌及び腫瘍である、請求項４に記載の医薬。
【請求項６】
メトホルミン及びその医薬的に許容しうる塩、並びにジヒドロケルセチン及びその医薬的に許容しうる塩以外の抗悪性腫瘍薬では効果不十分な患者を治療するための、請求項１〜５のいずれかに記載の医薬。
【請求項７】
１種又はそれ以上の、メトホルミン及びその医薬的に許容しうる塩、並びにジヒドロケルセチン及びその医薬的に許容しうる塩以外の抗悪性腫瘍薬を組み合わせることを特徴とする、請求項１〜５のいずれかに記載の医薬。
【請求項８】
メトホルミン及びその医薬的に許容しうる塩、並びにジヒドロケルセチン及びその医薬的に許容しうる塩以外の抗悪性腫瘍薬が、分子標的薬、アルキル化剤、代謝拮抗剤、植物アルカロイド、抗がん性抗生物質、ホルモン剤又は免疫療法剤である請求項６又は７に記載の医薬。
【請求項９】
請求項１〜８のいずれかに記載の医薬と、該医薬が悪性腫瘍の予防又は治療に使用する
ことができる、又は使用すべきであることを記載した、該医薬に関する記載物を含む、商業パッケージ。
【請求項１０】
ジヒドロケルセチン又はその医薬的に許容しうる塩を有効成分とする、メトホルミン又はその医薬的に許容しうる塩の副作用軽減剤。
【請求項１１】
ジヒドロケルセチン又はその医薬的に許容しうる塩を有効成分とする、メトホルミン又はその医薬的に許容しうる塩の抗悪性腫瘍作用の増強剤。
【請求項１２】
メトホルミン又はその医薬的に許容しうる塩と併用するための、ジヒドロケルセチン又はその医薬的に許容しうる塩を有効成分とする副作用軽減剤。
【請求項１３】
メトホルミン又はその医薬的に許容しうる塩と併用するための、ジヒドロケルセチン又はその医薬的に許容しうる塩を有効成分する抗悪性腫瘍作用の増強剤。
【請求項１４】
ジヒドロケルセチン又はその医薬的に許容しうる塩を有効成分とする、膵臓癌を予防又は治療するための医薬。
【請求項１５】
ジヒドロケルセチン又はその医薬的に許容しうる塩を有効成分とする、膵臓がん幹細胞抑制剤。
【請求項１６】
ジヒドロケルセチン又はその医薬的に許容しうる塩と併用するための、メトホルミン又はその医薬的に許容しうる塩を含有する医薬。
【請求項１７】
メトホルミン又はその医薬的に許容しうる塩と併用するための、ジヒドロケルセチン又はその医薬的に許容しうる塩を含有する医薬。
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
加圧された蒸気環境内の繊維トウの延伸装置であって、
低い高さの略矩形セクションを有する縦長の延伸チャンバ（２）を備えるタイプのものであり、
前記延伸チャンバ（２）内で、トウ（Ｔ）が飽和されたまたは過熱された蒸気によって高い温度および圧力で処理され、それと同時に機械的延伸工程を受け、
前記延伸チャンバ（２）は、走行平面内で相互に隣接した複数のトウ（Ｔ）を収容するのに十分な幅のものである、延伸装置において、
前記延伸チャンバ（２）が、周囲の剛性の、耐圧性支持構造（３〜９）内で長さおよび幅の方向に自由に膨張する金属延伸チェスト（１）内に形成され、
前記支持構造は、前記延伸チェスト（１）の位置をその高さの方向に正確に画定することを特徴とする、延伸装置。
【請求項２】
前記支持構造（３〜９）が、前記トウ走行平面に対する垂直な方向（ｚ軸）に対して前記延伸チェスト（１）の所定の位置を決定する一方、前記平面内に位置する、長さおよび幅それぞれ他の２つの相互に垂直な方向（ｘおよびｙ軸）において、前記延伸チェスト（１）の限定された可動性を可能にし、前記限定された可動性がこれらの２つの方向の前記延伸チェスト（１）の自由な熱膨張を十分可能にする、複数の接触要素（８〜９）を備える、請求項１に記載の延伸装置。
【請求項３】
前記延伸チェスト（１）が、その２つの長手方向縁に対応するように間に置かれた適切なガスケット（１９）によって相互に接触する、２つの対向する相互に面する部分からなり、
前記２つの部分は、前記低い高さの延伸チャンバ（２）を形成するように内部的に成形され、前記延伸チェスト（１）の２つの横断方向縁に対応する、トウ（Ｔ）入口および出口スリット（１３）を通って外方向に開く、請求項２に記載の延伸装置。
【請求項４】
前記延伸チェスト（１）の前記２つの対向部分の各々に対して、前記接触要素（８、９）の１つ、好ましくは前記部分の中央部分内に配置された１つが、前記トウの摺動平面内に位置する２つの垂直方向（ｘおよびｙ軸）に対しても前記部分の所定位置を決定付ける、請求項３に記載の延伸装置。
【請求項５】
前記支持構造が、
前記延伸チェスト（１）の下側部分の外壁が上に載置する接触要素（９）が設けられた基部フレーム（３）と、
前記基部フレーム（３）に締め付けられることができる複数のカラー（４）と、を備え、
前記複数のカラー（４）は、相互に平行かつ前記延伸チェスト（１）の長さ方向に対して垂直であり、接触要素（８）が設けられ、
前記接触要素（８）は、前記延伸チェスト（１）の上側部分の外壁上に載置し、前記基部フレーム（３）に締め付けられたときにその位置を画定する、請求項３に記載の延伸装置。
【請求項６】
前記基部フレーム（３）の前記接触要素が、支持ロッド（９）からなり、
前記支持ロッド（９）の接触ヘッドは、前記延伸チェスト（１）の前記下側部分内に固定された硬化された鋼インサートと共働する、請求項５に記載の延伸装置。
【請求項７】
前記複数のカラー（４）の前記接触要素が、対照ロッド（８）からなり、
前記対照ロッド（８）の高さは、ねじ手段によって調整可能であり、
前記ねじ手段の接触ヘッドは、前記延伸チェスト（１）の上側部分内に固定された、硬化された鋼インサートと共働する、請求項５に記載の延伸装置。
【請求項８】
前記延伸チェスト（１）の前記２つの部分の長手方向軸に対応して配置された前記インサートが、横方向ショルダを備えた誘導溝に設けられ、前記対照ロッド（８）または前記支持ロッド（９）の接触ヘッドのマッシュルーム形状の端部がその中に収容される、請求項６または７に記載の延伸装置。
【請求項９】
前記トウ（Ｔ）の前記入口／出口のための前記スリット（１３）の各々１つにおいて圧力シールをさらに備え、
前記シールは、２つの対向するプレート（１４）からなり、各々１つは、前記延伸チェスト（１）のそれぞれの部分と一体化されて、短い距離を離して相互に面しており、
前記プレート１４の内側表面には、前記トウ（Ｔ）の摺動方向に対して垂直の方向に、対称的に配置された一連の平行溝が設けられる、請求項３に記載の延伸装置。
【請求項１０】
前記対向するプレート（１４）の内側溝が、直角および鋭敏な縁を備えた長手方向のフレット様セクションを有し、また、前記対向するプレート（１４）の溝を有さない部分に対応する狭小領域によって分離された深い区画の連続を共同で形成する、請求項９に記載の延伸装置。
【請求項１１】
前記狭小領域の長さ（Ｂ）、長手方向歯部のピッチ（Ｃ）、および前記区画の深さ（Ｄ）が、互いにおよび前記プレート間の距離（Ａ）に、次の関係：
２／１０Ｃ≦Ｂ≦５／１０Ｃ
１０Ａ≦Ｃ≦２０Ａ
６Ａ≦Ｄ≦１５Ａ
でリンクされる、請求項１０に記載の延伸装置。
【請求項１２】
前記延伸チェスト（１）が、アルミニウムまたはアルミニウム合金から作製され、
前記支持構造（３〜９）が、鋼から作製される、請求項１から１１のいずれか一項に記載の延伸装置。
【請求項１３】
前記支持構造（３〜９）が、前記延伸チェスト（１）に対してより大きい構造的剛性を有し、
したがって、前記延伸チェスト（１）を、これが高温であるときに、拘束の不在下で前記延伸チェスト（１）のアーチングおよびねじりを誘発し得る熱膨張による内側応力が存在するにも関わらず、強制的に平坦に維持することができる、請求項１２に記載の延伸装置。
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
ポリ（シアノアクリレート）のマイクロまたはナノファイバーの製造方法であって：
−  シアノアクリレートモノマーを双極性非プロトン溶媒と混合して、ポリ（シアノアクリレート）ゲルを形成し；
−  電界紡糸に適した溶液を形成することに適した、アクリレート用溶媒に前記ゲルを溶解し、および、
−  得られた溶液に電界紡糸を行い、マイクロまたはナノファイバーを形成する
ステップを含むことを特徴とする、製造方法。
【請求項２】
前記双極性非プロトン溶媒が、ジメチルスルホキシド、ジメチルホルムアミド、ジメチルアセトアミド、Ｎ−メチル−２−ピロリドンまたはそれらの混合物からなる群より選択されることを特徴とする、請求項１に記載の方法。
【請求項３】
前記双極性非プロトン溶媒およびシアノアクリレートモノマーが０．１：１から２：１の比率で混合されることを特徴とする、請求項１または２に記載の方法。
【請求項４】
アセトニトリル、アセトン、塩素化炭化水素溶媒およびＣ１−Ｃ４カルボン酸ならびにそれらの混合物からなる群より選択される溶媒に前記ポリ（シアノアクリレート）ゲルを溶解することを特徴とする、請求項１から３のいずれか一項に記載の方法。
【請求項５】
前記双極性非プロトン溶媒がジメチルスルホキシドであり、かつ、ゲルを溶解する電界紡糸用の溶媒がアセトンおよびアセトニトリルから選択されることを特徴とする、請求項１から４のいずれか一項に記載の方法。
【請求項６】
前記シアノアクリレートモノマーがＣ１−Ｃ８アルキル−シアノアクリレートであることを特徴とする請求項１から５のいずれか一項に記載の方法。
【請求項７】
ポリ（シアノアクリレート）のポリマー性コーティングの製造方法であって、請求項１から６のいずれか一項に記載の方法によるマイクロまたはナノファイバーの製造、かく得られたマイクロまたはナノファイバーの基板上への被着および、基板に接着するコーティングを形成するために前記マイクロまたはナノファイバーを融解するのに適した温度にて、基板に被着した前記マイクロまたはナノファイバーに対する熱処理の付与を含むことを特徴とする、方法。
【請求項８】
請求項７に記載の方法により得ることができるポリ（シアノアクリレート）のコーティング層。
【請求項９】
コーティング層が請求項７に記載の方法により得られた、ポリ（シアノアクリレート）のコーティング層でコーティングされた基板。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
（ｉ）鎮痛薬と（ｉｉ）麻酔薬とを含む、特定の脳神経と関係する疾患の治療用医薬組成物であって、
該医薬組成物は、そのような治療を必要としている被験体の外耳道に、前記被験体の特定の脳神経の活動を、前記医薬組成物が投与されていない被験体における前記特定の脳神経の生理学的活動と比べて生理学的に変更するのに十分な濃度で投与するためのものである医薬組成物。
【請求項２】
前記特定の脳神経が、三叉神経、顔面神経、舌咽神経または迷走神経である請求項１に記載の医薬組成物。
【請求項３】
前記疾患が、喘息、神経性咳、ヒステリー球、痙攣性発声障害、胃食道逆流性疾患、肥満、血管迷走神経反射障害、慢性気管支炎、喘息性気管支炎、低血圧症、高血圧症、糖尿病、膀胱痙攣、月経困難症、骨盤痛、膀胱炎痛、遺尿症、排尿障害、性交疼痛症、多量月経流量期、頻尿、痙攣性発声障害、いびき、アレルギー性鼻炎、血管運動性鼻炎、慢性副鼻腔炎、慢性鼻鬱血、アレルギー性結膜炎、くしゃみ、しゃっくり、鼻炎、嚥下障害、過敏性腸症候群、胃炎、食欲抑制、慢性疲労症候群、線維筋痛症、不安、鬱病、不穏下肢症候群、家族性企図振戦、片頭痛、自閉症圏、不安頭痛、不眠症、睡眠障害、失行症および頸肩痛からなる群から選択される少なくとも１つである請求項１に記載の医薬組成物。
【請求項４】
前記鎮痛薬が、アンピロン、ジピロン、アンチピリン、アミノピリンおよびプロピフェナゾンからなる群から選択される少なくとも１種のピラゾロン誘導体であるか、アンチピリンであり、
前記麻酔薬が、ベンゾカイン、クロロプロカイン、コカイン、シクロメチカイン、ジメトカイン、ラロカイン、ピペロカイン、プロポキシカイン、プロカイン、ノボカイン、プロパラカイン、テトラカイン、アメトカイン、アルチカイン、ブピバカイン、シンコカイン、ジブカイン、エチドカイン、レボブピバカイン、リドカイン、リグノカイン、メピバカイン、プリロカイン、ロピバカイン、トリメカインおよびそれらの薬学的に受容可能な誘導体からなる群から選択される少なくとも１つであるか、ベンゾカインである請求項１に記載の医薬組成物。
【請求項５】
耳感染症に罹っていない被験体用のものである請求項１に記載の医薬組成物。
【請求項６】
前記医薬組成物が、抗生物質、血管収縮薬、グリセリンまたは酢酸のうちの１つ以上をさらに含むか、溶液の投与形態を有するか、泡沫の投与形態を有する請求項１に記載の医薬組成物。
【請求項７】
前記鎮痛薬が、１ｍＬ当たり５０〜６０ｍｇの濃度で前記医薬組成物中に存在し、前記麻酔薬が、１ｍＬ当たり１０〜２０ｍｇの濃度で前記医薬組成物中に存在するか、
１ｍＬ当たり５０〜５５ｍｇの濃度で前記医薬組成物中に存在し、前記麻酔薬が、１ｍＬ当たり１０〜１５ｍｇの濃度で前記医薬組成物中に存在する請求項１に記載の医薬組成物。
【請求項８】
（ｉ）アンチピリンと（ｉｉ）ベンゾカインとを含む、扁桃摘出術後の咽頭痛の治療用医薬組成物であって、
該医薬組成物は、該医薬組成物を投与する前の直前の１６８時間以内に扁桃摘出術を受けた被験体の外耳道に、前記被験体の迷走神経の活動を、前記医薬組成物が投与されていない被験体における迷走神経の生理学的活動と比べて生理学的に変更するのに十分な濃度で投与するためのものである医薬組成物。
【請求項９】
前記医薬組成物を投与する前の直前の４８時間以内に扁桃摘出術を受けたものに投与するためのものであるか、
扁桃摘出術を受けてから４時間以内に、前記被験体の前記外耳道に投与するためのものである請求項８に記載の医薬組成物。
【請求項１０】
（ｉ）アンチピリンと（ｉｉ）ベンゾカインとを含み、咽頭扁桃切除術後の咽頭痛の治療用の医薬組成物であった。
該医薬組成物は、該医薬組成物を投与する前の直前の１６８時間以内に咽頭扁桃切除術を受けた被験体の外耳道に、前記被験体の迷走神経の活動を、前記医薬組成物が投与されていない被験体における迷走神経の生理学的活動と比べて生理学的に変更するのに十分な濃度で投与するためのものである医薬組成物。
【請求項１１】
前記医薬組成物を投与する前の直前の４８時間以内に咽頭扁桃切除術を受けたものに投与するためのものであるか、
咽頭扁桃切除術を受けてから４時間以内に、前記被験体の前記外耳道に前記医薬組成物が投与するためのものである請求項１０に記載の医薬組成物。
【請求項１２】
（ｉ）アンチピリンと（ｉｉ）ベンゾカインとを含み、喘息の治療用の医薬組成物であって、
該医薬組成物は、そのような治療を必要としている被験体の外耳道に、前記被験体の迷走神経の活動を、前記医薬組成物が投与されていない被験体における迷走神経の生理学的活動と比べて生理学的に変更するのに十分な濃度で投与するためのものである医薬組成物。
【請求項１３】
直前の４８時間以内に喘息発作を起こしたものに投与するためのものであるか、
直前の６０分以内に喘息発作を起こしたものに投与するためのものであるか、
前記医薬組成物の前記投与後に前記被験体をモニタリングし、前記被験体が別の喘息発作を患っていることが示されたものに前記医薬組成物の第２の投与を行うためのものである請求項１２に記載の医薬組成物。
【請求項１４】
（ｉ）アンチピリンと（ｉｉ）ベンゾカインとを含み、食欲抑制用の医薬組成物であって、
該医薬組成物は、そのような治療を必要としている被験体の外耳道に、前記被験体の迷走神経の活動を、前記医薬組成物が投与されていない被験体における迷走神経の生理学的活動と比べて生理学的に変更するのに十分な濃度で投与するためのものである医薬組成物。
【請求項１５】
２４時間の間に少なくとも３回投与するためのものであるか、
前記被験体が空腹を感じた直後に、前記被験体の前記外耳道に前記医薬組成物を投与するためのものであるか、
食物が前記被験体により摂取される約２０分〜約６０分前に、前記被験体の前記外耳道に前記医薬組成物を投与するためのものであるか、
食物の摂取と同時に、前記被験体の前記外耳道に前記医薬組成物を投与するためのものである請求項１４に記載の医薬組成物。
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
以下を含む抗菌性組成物：
ａ）  １）水、および
２）Ｃ１−Ｃ１６非環式アルコールを含む１以上の有機液体から成る溶剤成分であり、１３．７〜１５．４  ＭＰａ１／２のδｐ値を示す溶剤成分；
並びに、
ｂ）  少なくとも約０．５  Ｏｓｍ／Ｌの有効な溶質濃度を与えるのに十分な量で存在する浸透性の活性溶質を含む溶質成分、
ここで浸透性の活性溶質は陽イオン界面活性剤と１以上の酸の解離生成物を含み、  
該組成物は３よりも大きなｐＨを有する。
【請求項２】
前記アルコールがイソプロピルアルコールである、請求項１記載の組成物。
【請求項３】
前記溶質成分が、多価有機酸を含む、請求項１記載の組成物。
【請求項４】
前記多価有機酸が、水酸基を含む、請求項３記載の組成物。
【請求項５】
前記溶質成分が、さらに前記１以上の酸の塩を含む、請求項１記載の組成物。
【請求項６】
前記１以上の酸が、サリチル酸を含む、請求項１記載の組成物。
【請求項７】
前記組成物が、３．５から５．５のｐＨを有する、請求項１記載の組成物。
【請求項８】
前記１以上の有機液体が、さらにグリセロールを含む、請求項１記載の組成物。
【請求項９】
前記溶剤成分が、１５．１ＭＰａ１／２未満のδｐ値を示す、請求項１記載の組成物。
【請求項１０】
前記有効な溶質濃度が、少なくとも６５０ｍＯｓｍ／Ｌである、請求項１記載の組成物。
【請求項１１】
前記溶質成分中の前記浸透性の活性溶質は、陽イオン界面活性剤、１以上の酸の解離生成物、および１以上の酸の塩から成る、請求項１記載の組成物。
【請求項１２】
請求項１記載の組成物、および水混和性の基剤を含むゲル。
【手続補正２】
【補正対象書類名】明細書
【補正対象項目名】０１６６
【補正方法】変更
【補正の内容】
【０１６６】
図１４は、界面活性剤濃度の変化による効果がほとんど無いことを示す。しかし、ＩＰＡの量を増加させることは、溶剤成分のδｐ値の低下に伴う減少により、効能に非常に大きな影響を及ぼす。
本発明は以下の実施態様を包含する。
実施態様第１項：  以下を含む抗菌性組成物：
ａ）  １）水、および
２）１以上の有機液体から本質的に成り、１３．１〜１５．７  ＭＰａ１／２のδｐ値を示す溶剤成分；
並びに、
ｂ）  少なくとも約０．５  Ｏｓｍ／Ｌの有効な溶質濃度を与えるのに十分な量で存在する溶質成分。
実施態様第２項：  前記組成物が中性から少なくとも２．０ユニット離れたｐＨ値を有する、実施態様第１項記載の抗菌性組成物。
実施態様第３項：  前記の１以上の有機液体が以下の一般式を有するエーテルを含む、実施態様第１項または２項記載の抗菌性組成物：
Ｒ１（ＣＨ２）ｘＯ−Ｒ２−［Ｏ（ＣＨ２）ｚ］ｙＺ
ここで、ｘは０〜２０の整数であり、ｙは０または１であり、ｚは１〜４の整数であり、Ｒ２はＣ１−Ｃ６の直鎖または分岐鎖アルキレン基であり、Ｒ１はメチル、イソプロピルあるいはフェニル基であり、Ｚは水酸基またはメトキシ基である。
実施態様第４項：  ｘが２〜２０の整数であり、該エーテルが任意に１以上のエチレン性不飽和基を含む、実施態様第３項記載の抗菌性組成物。
実施態様第５項：  Ｚが水酸基である実施態様第３項記載の抗菌性組成物。
実施態様第６項：  前記１以上の有機液体が、環式およびＣ１−Ｃ１６非環式アルコールを含み、任意に１以上のエチレン性不飽和基および／またはアルコール酸素以外の１つ以上のヘテロ原子を含む、実施態様第１項または２項記載の抗菌性組成物。
実施態様第７項：  前記組成物が少なくとも１．０  Ｏｓｍ／Ｌの有効な溶質濃度を有する、実施態様第１項または２項記載の抗菌性組成物。
実施態様第８項：  前記溶質成分がポリ酸および前記ポリ酸の塩を含む、実施態様第１項または２項記載の抗菌性組成物。
実施態様第９項：  前記溶質成分が少なくとも１つのポリ酸、および該少なくとも１つのポリ酸の少なくとも１つの塩から本質的に成る、実施態様第１項または２項記載の抗菌性組成物。
実施態様第１０項：  さらにイオン性界面活性剤を含む実施態様第１項または２項記載の抗菌性組成物。
実施態様第１１項：  水、酸あるいは塩基、１以上の溶質、および少なくとも１重量％の少なくとも１つの界面活性剤を含む第１の抗菌性組成物を変成する方法であって、
水に十分な量の１つ以上の有機液体を加え、１６．０未満のδｐ値を有する溶剤成分を提供し、該第１の抗菌性組成物の該少なくとも１つの界面活性剤の量を０．２重量％以下に減らし、ＣＤＣリアクター・テストによって測定されたバイオフィルムに対する効能が、前記第１の抗菌性組成物と少なくとも同じであるか大きい第２の抗菌性組成物を提供することを含む方法。
実施態様第１２項：  該少なくとも１つの界面活性剤が前記第２の抗菌性組成物から除去される、実施態様第１１項記載の方法。
実施態様第１３項：  前記第２の抗菌性組成物の前記溶剤成分が１５．８未満のδｐ値を有する、実施態様第１１項または１２項記載の方法。
実施態様第１４項：  前記第２の抗菌性組成物の前記溶剤成分が１５．７未満のδｐ値を有する、実施態様第１３項記載の方法。
実施態様第１５項：  前記第２の抗菌性組成物の前記溶剤成分が１５．５未満のδｐ値を有する、実施態様第１４項記載の方法。
実施態様第１６項：  前記の１以上の有機液体が以下の一般式を有するエーテルを含む、実施態様第１１項または１２項記載の方法：。
Ｒ１（ＣＨ２）ｘＯ−Ｒ２−［Ｏ（ＣＨ２）ｚ］ｙＺ
ここで、ｘは０〜２０の整数であり、ｙは０または１であり、ｚは１〜４の整数であり、Ｒ２はＣ１−Ｃ６の直鎖または分岐鎖アルキレン基であり、Ｒ１はメチル、イソプロピルあるいはフェニル基であり、Ｚは水酸基またはメトキシ基である。
実施態様第１７項：  ｘが２〜２０の整数であり、該エーテルが任意に１以上のエチレン性不飽和基を含む、実施態様第１６項記載の方法。
実施態様第１８項：  Ｚが水酸基である、実施態様第１６項記載の方法。
実施態様第１９項：  前記１以上の有機液体が、環式およびＣ１−Ｃ１６非環式アルコールを含み、任意に１以上のエチレン性不飽和基および／またはアルコール酸素以外の１つ以上のヘテロ原子を含む、実施態様第１１項または１２項記載の方法。
実施態様第２０項：  前記第１および第２の抗菌性組成物のそれぞれが、少なくとも１．０  Ｏｓｍ／Ｌの有効な溶質濃度を有する、実施態様第１１項または１２項記載の方法。
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
（Ａ）３０から６０質量％の範囲内の、メチルグリシン二酢酸のアルカリ金属塩およびグルタミン酸二酢酸のアルカリ金属塩から選択される錯化剤と、
（Ｂ）１から２５質量％の範囲内の、スルホン酸または有機酸の少なくとも１種の塩と
を含む水溶液であって、百分率がそれぞれの水溶液の総質量に基づき、界面活性剤を含まない水溶液。
【請求項２】
９から１３の範囲内のｐＨ値を有する、請求項１に記載の水溶液。
【請求項３】
（Ｂ）が、酢酸、酒石酸、乳酸、マレイン酸、フマル酸、およびリンゴ酸のアルカリ金属塩から選択される、請求項１または２に記載の水溶液。
【請求項４】
塩（Ｂ）がメチルスルホン酸のアルカリ金属塩から選択される、請求項１から３のいずれか一項に記載の水溶液。
【請求項５】
（Ｃ）４００から１０，０００ｇ／ｍｏｌの範囲内の平均分子量Ｍｎを有する少なくとも１種のポリエチレングリコール
をさらに含む、請求項１から４のいずれか一項に記載の水溶液。
【請求項６】
請求項１から５のいずれか一項に記載の水溶液を製造するための方法であって、錯化剤（Ａ）の水溶液と塩（Ｂ）とを合わせる工程を含む方法。
【請求項７】
ランドリーケアまたは食器洗浄用配合物を製造するための、請求項１から５のいずれか一項に記載の水溶液を使用する方法。
【請求項８】
管または容器中で輸送するための、請求項１から５のいずれか一項に記載の水溶液を使用する方法。
【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
５０〜７７重量％の２−エチルヘキシルアクリレート、
２〜１０重量％のアクリル酸、
２０〜４０重量％の２−ヒドロキシエチルアクリレート、
０．１〜０．５重量％の硬化剤、及び
０．１〜０．２重量％の光開始剤を含む、硬化性アクリル組成物。
【請求項２】
前記硬化剤が、二官能性アクリル酸エステルを含む、請求項１に記載のアクリル組成物。
【請求項３】
前記光開始剤が、２，２−ジメトキシフェニルケトンを含む、請求項１に記載のアクリル組成物。
【請求項４】
アクリルゴムロールを製造する方法であって、
５０〜７７重量％の２−エチルヘキシルアクリレート、２〜１０重量％のアクリル酸、２０〜４０重量％の２−ヒドロキシエチルアクリレート、及び０．１〜０．５重量％の硬化剤を室温で混合し、撹拌して混合物を形成する工程と、
０．１〜０．２重量％の光開始剤を前記混合物に添加し、前記光開始剤が完全に溶解するまで撹拌し続けて、アクリル組成物を形成する工程と、
前記アクリル組成物に紫外線を照射し、前記アクリル組成物を架橋硬化させて、アクリルテープを得る工程と、
前記アクリルテープをプラスチックゴムロール軸のサイズに応じて切断し、前記アクリルゴムロールを得るように、前記アクリルテープを、気泡を回避しながら、自由に回転できるゴムロールに均一に貼り付ける工程と、
を含む、方法。